【事件の表示】
　特願２００４−２９９１６３「ウェッブサイトの管理方法」拒絶査定不服審判事件〔平成１８年　３月１６日出願公開、特開２００６−　７２９５３〕について、次のとおり審決する。
【結　論】
　本件審判の請求は、成り立たない。
【理　由】
１．手続きの経緯
　本願は、平成１６年１０月１３日の出願（パリ条約の例による優先権主張２００４年８月３１日、台湾）であって、平成１８年８月２１日付で拒絶査定がなされ、これに対し、同年１１月２７日付で審判請求がなされるとともに、同年１２月２６日付で手続補正がなされたものである。
　
２．平成１８年１２月２６日付の手続補正についての補正却下の決定
　
［補正却下の決定の結論］
　平成１８年１２月２６日付の手続補正を却下する。
　
［理由］
（１）補正後の本願発明
　本件補正により、特許請求の範囲の請求項１は、
「【請求項１】
　ホストシステムが、当該ホストシステムに表示されている、登録しようとするウェッブサイトのウェッブページに対して、当該ウェッブサイトにログインするためのログイン操作、及び前記ログイン操作により当該ウェッブページにおける入力欄に入力されたログイン・データを記録データとして記録し、前記登録しようとするウェッブサイトに対応する記録ファイルを作成し、記憶装置に記憶する第１の工程と、
　前記ホストシステムが、記憶された複数のウェッブサイトにそれぞれ対応する複数の記録ファイルのうち、ユーザーにより選択された記録ファイルにおける記録データに従って、当該ユーザーに、当該選択された記録ファイルに対応するウェッブサイトにログインさせる第２の工程と
　を有し、
　前記第２の工程において、
　前記ホストシステムは、前記選択された記録ファイルにおける記録データに従って、ウェッブブラウザーを起動し、前記対応ウェッブサイトにアクセスして接続し、
　前記ホストシステムは、前記選択された記録ファイルに記録されたログイン・データを前記対応ウェッブサイトのウェッブページにおける入力欄に入力し、前記選択された記録ファイルに記録されたログイン操作を実行し、前記ユーザーに、前記対応ウェッブサイトにログインさせ、
　前記第１の工程において、前記ホストシステムは、前記複数の記録ファイルの一覧表である記録ファイル一覧表を作成し、
　前記第２の工程において、前記ホストシステムは、前記ユーザーにより前記記録ファイル一覧表から選択された記録ファイルにおける記録データに従って、前記ユーザーに前記対応ウェッブサイトにログインさせ、
　前記第２の工程において、前記ホストシステムは、前記選択された記録ファイルにおける記録データを取り出して、前記記録データにおけるログイン・データを用いて、前記記録データに含まれた、前記対応ウェッブサイトのウェッブページに対するログイン操作を実行し、前記ユーザーに前記対応ウェッブサイトにログインさせ、
　前記第１の工程は、さらに、前記記録ファイルについてパスワードを設定する工程を含む
　ことを特徴とするウェッブサイト管理方法。」
と補正された。
　
　上記補正は、補正前請求項１乃至４を引用する補正前の請求項５のうち補正前請求項１，請求項２及び請求項４の全てを引用する部分を書き下したものであり、補正前の請求項１に従属する補正前の請求項５について多数項引用形式で記載された一つの請求項を引用請求項を減少させて独立形式の請求項とする補正であるから、特許法第１７条の２第４項第２号の「特許請求の範囲の減縮」を目的とするものに該当する。
　そこで、本件補正後の前記請求項１に記載された発明（以下、「本件補正発明」という。）が特許出願の際独立して特許を受けることができるものであるか（特許法第１７条の２第５項において準用する同法第１２６条第５項の規定に適合するか）について以下に検討する。
　
（２）引用例
　原査定の拒絶の理由に引用された、北浦訓行、他１名著”ノートンシステムワークス２００４活用ガイド”，株式会社オーム社，平成１５年１１月２５日，第１版，第３１８乃至３２４頁（以下、「引用例」という。）には、図面とともに次の事項が記載されている。
　
（Ａ）「１０−２
　Ｎｏｒｔｏｎ　Ｐａｓｓｗｏｒｄ　Ｍａｎａｇｅｒの使用法
　１０−２−１　Ｗｅｂサイトのパスワードを保存する
　Ｎｏｒｔｏｎ　Ｐａｓｓｗｏｒｄ　Ｍａｎａｇｅｒの機能を働かせるには、まず最初にサインインする必要があります。Ｎｏｒｔｏｎ　ＳｙｓｔｅｍＷｏｒｋｓメイン画面で［Ｐａｓｓｗｏｒｄ　Ｍａｎａｇｅｒ］ボタンをクリックし、［サインイン］ボタンをクリックします。
　
　図１０−６　［サインイン］ボタンをクリックする（図示省略）
　
　すると、［サインイン］ダイアログボックスが現れるので、作成済みプロファイルから使用するものを選び、パスワードを入力してから［サインイン］ボタンをクリックします。
　
　図１０−７　プロファイルを選び、設定済みのパスワードを入力する（図示省略）
　
　サインインに成功すると、Ｎｏｒｔｏｎ　ＳｙｓｔｅｍＷｏｒｋｓメイン画面の表示が変わり、サインインしたプロファイルに関する情報が表示されます。
　
　図１０−８　サインインしたプロファイルに関する情報が表示される（図示省略）
・・・・（中略）・・・・
　また、［パスワード］には、その時点でＮｏｒｔｏｎ　Ｐａｓｓｗｏｒｄ　Ｍａｎａｇｅｒが保存しているパスワードの数が表示されます。初期状態ではパスワードを保存していないので、「０」と表示されます。
　［監視状態］ボックスに表示される［Ｗｅｂブラウザ］または［Ｗｉｎｄｏｗｓプログラム］をクリックすると、それぞれに対してＮｏｒｔｏｎ　Ｐａｓｓｗｏｒｄ　Ｍａｎａｇｅｒが機能するかどうかを切り替えられます。
　
　図１０−９　パスワードを保存するかどうか確認するダイアログボックス（図示省略）
　
　この状態でパスワード入力が必要なＷｅｂサイトにアクセスし、パスワードを手入力すると、Ｎｏｒｔｏｎ　Ｐａｓｓｗｏｒｄ　Ｍａｎａｇｅｒが自動的に感知し、そのパスワードを保存するかどうか確認するダイアログボックスが現れます。ここで［はい］ボタンをクリックするとパスワードが保存され、そのＷｅｂサイトに次回アクセスしたとき、自動的に入力されるようになります。
　ここで［いいえ］のボタンをクリックすると、その時点ではパスワードは保存されませんが、そのＷｅｂサイトに次回アクセスすると、同じ確認ダイアログボックスが再び表示されます。パスワードを絶対に保存したくないＷｅｂサイトの場合、［このサイトの簡易入力を無効にする］にチェックマークを付けてから［いいえ］ボタンをクリックしてください。
　
図１０−１０　［パスワード］欄の表示が「１」に変わった（図示省略）
　
　パスワードを保存してからＮｏｒｔｏｎ　ＳｙｓｔｅｍＷｏｒｋｓのメイン画面を開き、［機能ボックス］にある［パスワード］欄を見ると、「１」と表示されています。これは１個のパスワードを保存していることを意味します。
　ここで［パスワード］をクリックし、右ペインに表示される［詳細］ボタンをクリックすると、［管理しているパスワード］という画面が開きます。
　
図１０−１１　Ｎｏｒｔｏｎ　Ｐａｓｓｗｏｒｄ　Ｍａｎａｇｅｒが保存しているパスワードの一覧画面（図示省略）
　
　この画面には、Ｎｏｒｔｏｎ　Ｐａｓｓｗｏｒｄ　Ｍａｎａｇｅｒがパスワードを保存しているＷｅｂサイトおよびプログラムの一覧が表示されます。ここで項目を選択してから［削除］ボタンをクリックすると、そのパスワードを削除できます。」（第３１８頁第１０行乃至第３２１頁第３行）
　
（Ｂ）　図１０−６中において、その画面中に「この情報にアクセスする前にプロファイルを作成するかサインインする必要があります。
Ｎｏｒｔｏｎ　Ｐａｓｓｗｏｒｄ　Ｍａｎａｇｅｒはパスワード、クレジットカード番号、その他の秘密情報を持ち主にしかアクセスできない暗号化ユーザ−プロファイルに記録します。」の文字列が表示されることが図示されている。
　
（Ｃ）　図１０−８中において、その［監視状態］ボックスに［Ｗｅｂブラウザ］［Ｗｉｎｄｏｗｓプログラム］という文字列が表示され、それぞれ「オン」「オン」と表示されている。　
　
（Ｄ）　図１０−９中において、「はい（Ｙ）」「いいえ（Ｎ）」ボタンによる回答が求められる質問として「このＷｅｂページに対するパスワード情報を保存しますか？」の文字列が表示され、同時に、チェックボックスによる回答が求められる質問として「このサイトの簡易入力を無効にする」の文字列が表示されることが図示されている。
　
　引用例の「パスワード入力が必要なＷｅｂサイト」とは、インターネットにおける会員制サイトのように、ユーザがそのサイトにログインするにあたってフォームやＷｅｂページのパスワード入力欄へのパスワードの入力を要求するＷｅｂサイトのことであり、引用例の「Ｎｏｒｔｏｎ　Ｐａｓｓｗｏｒｄ　Ｍａｎａｇｅｒ」は、そうした会員制サイトで入力されるパスワードを安全に管理するための機能を計算機によって実現するコンピュータプログラムとして知られたものである。そして、Ｗｅｂブラウザに対してＮｏｒｔｏｎ　Ｐａｓｓｗｏｒｄ　Ｍａｎａｇｅｒが機能するように計算機を動作させるのであるから、引用例においては、「Ｗｅｂサイト」に備えられた計算機と接続し通信することによって「Ｗｅｂページ」を表示したり「Ｗｅｂページ」への「手入力」などの入力操作による入力データをそうした計算機に送信する、いわゆるＷｅｂブラウザの機能と「Ｎｏｒｔｏｎ　Ｐａｓｓｗｏｒｄ　Ｍａｎａｇｅｒ」の機能の双方をコンピュータプログラムを実行することによって実現する計算機（以下「Ｗｅｂブラウザ側の計算機」という。）の存在を前提としている。
　Ｗｅｂブラウザ上で「パスワード入力が必要なＷｅｂサイトにアクセスし、パスワードを手入力する」にあたっては、Ｗｅｂブラウザの機能によりログインしようとするＷｅｂサイトのパスワード入力欄を含むフォームやＷｅｂページがこの計算機のユーザーに対して表示され、そうして表示されたフォームやＷｅｂページに対して「パスワード情報」の「手入力」、すなわちこの計算機のユーザによるパスワード情報の入力操作、がなされるものである。そして、こうしたＷｅｂブラウザの機能を用いて「パスワード入力が必要なＷｅｂサイト」にログインしようとする以上は、こうしてＷｅｂブラウザ上で入力されたパスワード情報がＷｅｂサイトへのログインにあたって用いられるものである。
　「保存されたパスワードの数が表示され」、図示省略した図１０−１１の画面で「パスワードを保存しているＷｅｂサイト・・・の一覧が表示され」、「項目を選択してから［削除］ボタンをクリックすると、そのパスワードを削除でき」、さらに、「パスワード入力が必要なＷｅｂサイト」についての「Ｗｅｂページに対するパスワード情報」を保存し、保存されたパスワード情報が「そのＷｅｂサイトに次回アクセスしたとき、自動的に入力され」、そうして自動的な入力を可能とすべく複数のパスワード情報を保存するのであるから、複数のＷｅｂサイトの各々と対応するパスワード情報をそれぞれ保存し、複数のサイトに対応して保存された複数のパスワード情報から、ログインしようとするＷｅｂサイトへの「次回」のアクセスのとき、そのサイトに対応するパスワード情報が自動的に入力されるものである。
　上記（Ａ）、及び上記（Ｄ）に示されるように、引用例においてはパスワード情報を保存して次回のＷｅｂサイトへのアクセス時にこの保存されたパスワード情報を自動的に入力することを「簡易入力」と称しており、引用例におけるパスワード情報の保存と保存されたパスワード情報の入力の自動化は、Ｗｅｂサイトへのログインに伴うＷｅｂブラウザ側の計算機のユーザーによる入力操作を簡易にするためのものである。
　
　してみると、引用例には、
　
　Ｗｅｂブラウザ側の計算機における、当該計算機のユーザーによる、Ｗｅｂサイトへのログインに伴う入力操作を簡易にする方法であって、
　当該計算機が、当該計算機に表示されたＷｅｂサイトのＷｅｂページに対してそのＷｅｂサイトへのログインのためにそのＷｅｂページのパスワード入力欄に手入力されたパスワード情報をそのＷｅｂサイトと対応させて複数保存し、
　当該計算機のユーザーがＷｅｂブラウザの機能を用いてそのＷｅｂサイトに次回アクセスしたとき、当該計算機が、そのＷｅｂサイトへのログインのため、自動的に、そのＷｅｂサイトと対応して保存されたパスワード情報を、そのＷｅｂページのパスワード入力欄に入力する、
　方法。
　
の発明（以下「引用発明」という。）が記載されているものと認められる。
　
（３）対比
　本件補正発明と引用発明とを対比すると、引用発明における「Ｗｅｂサイト」、「Ｗｅｂブラウザ」、「Ｗｅｂページ」、及び「パスワード入力欄」は、それぞれ本件補正発明の「ウェッブサイト」、「ウェッブブラウザー」、「ウェッブページ」、及び「入力欄」に相当する。
　また、当該計算機のユーザーがＷｅｂブラウザの機能を用いてそのＷｅｂサイトにアクセスするのであるから、引用発明の「Ｗｅｂブラウザ側の計算機」は、ウェッブサイトにアクセスして接続すべく、その計算機にウェッブブラウザーのプログラムがロードされ、その計算機がそのプログラムを実行しているものである。してみると、引用発明の「Ｗｅｂブラウザ側の計算機」は、本件補正発明の「ウェッブブラウザーを起動し、」「ウェッブサイトにアクセスして接続」する「ホストシステム」に相当する。
　
　引用発明の「Ｗｅｂサイトへのログイン」は、本件補正発明の「当該ウェッブサイトにログインする」処理、すなわち、表示されたウェッブページに対する「ウェッブサイトにログインするためのログイン操作」に対応してウェッブサイトにおいてなされる処理に相当する。
　
　引用発明の「パスワード情報」は、ウェッブサイトにログインするために入力するデータであるので、本件補正発明の「ログイン・データ」に相当する。
　
　一般に、計算機がデータを保存することは、そのデータを計算機の記憶装置に記憶する処理であり、引用発明の「保存」する処理は、本件補正発明の「記憶装置」に「記録」する処理に相当し、引用発明の「保存されたパスワード情報」は、本件補正発明の、記憶装置に「記録されたログイン・データ」に相当する。
　
　引用発明では「当該計算機に表示された」ウェッブサイトのウェッブページについてログイン・データが記録されることから、引用発明における当該計算機に表示されたウェッブサイトのウェッブページは、本件補正発明の「当該ホストシステムに表示されている、登録しようとするウェッブサイトのウェッブページ」に相当する。
　引用発明の「Ｗｅｂページのパスワード入力欄に入力する」処理は、ウェッブサイトへのログインのためのパスワードをホストシステムに表示されたウェッブページの入力欄に入力する処理であるから、本件補正発明の「ウェッブサイトのウェッブページにおける入力欄に入力」する処理に相当する。
　
　引用発明ではウェッブサイトへのログインに伴って入力されるパスワード情報をウェッブサイトに対応させて記録することによって、ホストシステムでウェッブサイトを管理して「ユーザーによる、Ｗｅｂサイトへのログインに伴う入力操作を簡易に」するのであるから、引用発明の「方法」は、本件補正発明でいうところの「ウェッブサイト管理方法」であるといえる。
　
　そして、引用発明の方法は「当該計算機が、当該計算機に表示されたＷｅｂサイトのＷｅｂページに対してそのＷｅｂサイトへのログインのためにそのＷｅｂページのパスワード入力欄に手入力されたパスワード情報をそのＷｅｂサイトと対応させて保存」する工程（以下、「前者の工程」という。）と「当該計算機のユーザーがＷｅｂブラウザの機能を用いてそのＷｅｂサイトに次回アクセスしたとき、当該計算機が、そのＷｅｂサイトへのログインのため、自動的に、そのＷｅｂサイトと対応して保存されたパスワード情報を、そのＷｅｂページのパスワード入力欄に入力する」工程（以下、「後者の工程」という。）を有しており、前者の工程においてログイン・データを記録データとして記録し、後者の工程において前者の工程で記録されたログイン・データをパスワード入力欄に入力する処理を自動的に実行している。
　つまり、上記引用発明における前者の工程と後者の工程は、ログイン・データの記録をする工程と、その記録されたログイン・データを用いたログインのための処理をホストシステムが実行する工程という関係になっている。
　これに対して、本件補正発明の「ウェッブサイト管理方法」は「第１の工程」と「第２の工程」とを有しており、その第１の工程において「ログイン・データを記録データとして記録」し、その第２の工程においては該第１の工程において「記録されたログインデータ」を用いて「ログイン操作を実行」するという処理を行うという関係になっている。
　してみると、ウェッブサイト管理方法における各工程の位置づけとして、引用発明の前者の工程及び後者の工程がそれぞれ本件補正発明の「第１の工程」と「第２の工程」に対応している。
　
　さらに、この第１の工程についてみると、本件補正発明では「ログイン操作により当該ウェッブページにおける入力欄に入力されたログイン・データ」を記録するので、本件補正発明において「ログイン操作」は入力欄への入力の操作を含んでおり、本件補正発明においてログイン・データを記録する際のログイン・データは「ログイン操作」の一部をなす入力の操作により入力欄に入力されたものである。
　これに対して、引用発明では、ログイン・データを記録する際のログイン・データは当該ウェッブサイトにログインする処理「に伴う入力操作」として「パスワード入力欄に手入力された」ものであり、記録されたログイン・データはそうした入力操作により入力欄に入力されたものであるので、引用発明の「手入力された」は、本件補正発明の「ログイン操作により」「入力された」に対応する。
　
　また、第２の工程についてみると、引用発明では、記録されたログイン・データを入力欄に自動的に入力し、入力操作と機能的に等価な処理を計算機が実行するので、記録データには実行されるログイン操作自体は含まれていないものの、「ホストシステムが」「ログイン操作を実行」している点で引用発明と本件補正発明とは一致している。
　
　してみると、本件補正発明と引用発明とは、
　
　ホストシステムが、当該ホストシステムに表示されている、登録しようとするウェッブサイトのウェッブページに対して、当該ウェッブサイトにログインするためのログイン操作により当該ウェッブサイトのウェッブページにおける入力欄に入力されたログイン・データを記録データとして記録し、記憶装置に記憶する第１の工程と、
　前記ホストシステムは、記録データにおけるログイン・データをウェッブサイトのウェッブページにおける入力欄に入力し、そのログイン・データを用いて、ログイン操作を実行する第２の工程と
　を有し、
　前記ホストシステムは、ウェッブブラウザーを起動し、ウェッブサイトにアクセスして接続する
ウェッブサイト管理方法。
　
で一致し、次の（Ａ）から（Ｅ）の５点で相違する。
　
（相違点）
（Ａ）本件補正発明の第１の工程では、ログイン・データを記録した記録データにウェッブサイトにログインするためのログイン操作が含まれているのに対し、引用発明では、ログイン・データを記録した記録データにログイン操作自体は含まれていない点。
　
（Ｂ）本件補正発明の第１の工程では、前記登録しようとするウェッブサイトに対応する記録ファイルを作成して記憶装置に記憶し、さらに前記複数の記録ファイルの一覧表である記録ファイル一覧表を作成しているのに対し、引用発明の第１の工程では、ログイン・データを記憶装置に記録しているものの、記録ファイルとして記録することは明らかではなく、また記録ファイル一覧表を作成していない点。
　
（Ｃ）本件補正発明の第２の工程では、記録データに従ってユーザーにウェッブサイトにログインさせており、その際、記録データにおけるログイン・データを用いてホストシステムが実行するのが記録データに含まれたウェッブサイトのウェッブページに対するログイン操作であるのに対し、引用発明の第２の工程では、記録データに含まれたログイン操作を実行してユーザにウェッブサイトにログインさせていない点。
　
（Ｄ）本件補正発明の第２の工程では、「記憶された複数のウェッブサイトにそれぞれ対応する複数の記録ファイルのうち、ユーザーにより選択された記録ファイルにおける」記録データに従って、当該ユーザーに、「当該選択された記録ファイルに対応する」ウェッブサイトにログインさせ、「前記選択された記録ファイルに記録された」ログイン・データを「前記対応」ウェッブサイトのウェッブページにおける入力欄に入力し、「前記選択された記録ファイルに」記録されたログイン操作を実行し、「前記記録ファイル一覧表から選択された記録ファイルにおける」記録データに従って、「前記選択された記録ファイルにおける記録データを取り出して、」「前記記録データに含まれた、前記対応ウェッブサイトのウェッブページに対するログイン操作を実行し」て、前記ユーザーに「前記対応」ウェッブサイトにログインさせ、「前記第２の工程において、」「前記選択された記録ファイルにおける記録データに従って」ウェッブブラウザーを起動し、「前記対応」ウェッブサイトにアクセスして接続する。
　すなわち、本件補正発明の第２の工程では、ウェッブブラウザの起動、選択された記録ファイルに対応するウェッブサイトへのアクセスと接続、記録ファイルに記録されたログイン・データを用いた記録ファイルに記録されたログイン操作の実行、という処理によってユーザーにこの対応するウェッブサイトにログインさせる処理を、第１の工程で記録ファイルとともに作成された記録ファイル一覧表からの記録ファイルの選択による一連のものとして行っている。
　これに対して、引用発明の第２の工程では、ウェッブブラウザの起動、選択された記録ファイルに対応するウェッブサイトへのアクセスと接続、記録ファイルに記録されたログイン・データを用いた記録ファイルに記録されたログイン操作の実行によってユーザにこの対応するウェッブサイトにログインさせる処理を、第１の工程で記録ファイルとともに作成された記録ファイル一覧表からの記録ファイルの選択による一連のものとして行っていない点。
　
（Ｅ）本件補正発明では、前記第１の工程は、さらに、前記記録ファイルについてパスワードを設定する工程を含むのに対し、引用発明では、第１の工程が記録ファイルについてパスワードを設定する工程を含んでいない点。
　
（４）判断
　上記相違点について検討する。
（ｉ）相違点（Ａ）、及び（Ｃ）について
　一般に、入力用ウェブページ上でのＩＤやパスワードの入力を伴ったログイン操作といったユーザにより行われる操作の手順を計算機により実行可能な形式で記録し、そうして記録された操作の手順を計算機が自動的に実行することで操作の簡易化を図ることは、国際公開第０３／０３８６３１号（特に、第７頁第３１行乃至第１１頁第１６行及び第１４頁第３行乃至同頁第１２行を参照）、特開平２００２−３４２１５２号公報（【００３５】、【００４４】−【００４５】を参照）、及び特開２００３−２０３０５３号公報（【００４２】−【００５５】、図３を参照）に開示されているごとく、周知技術である。
　そして、上記（２）（Ａ）で示したように、引用発明は、ホストシステム（Ｗｅｂブラウザ側の計算機）によって行われる処理として、記録されたログイン・データを自動的に入力して、ウェッブサイトへログインする処理に伴うホストシステムにおけるユーザの操作の簡易化を図るものである。
　してみると、引用発明におけるユーザの操作の簡易化のためのログイン・データの入力の自動化にあたって上記周知技術を採用し、ログイン・データに加えてユーザによるウェッブサイトにログインするための一連のログイン操作を操作の手順としてとして記録し、記録されたログイン操作の手順を自動的に実行するように構成すること、すなわち、引用発明の、第１の工程における記録される記録データにウェッブサイトにログインするためのログイン操作を含め、第２の工程で記録されたログイン・データを用いて記録されたログイン操作を実行して記録データに含まれたウェッブサイトのウェッブページに対するログイン操作をホストシステムが実行して、記録データに従ってユーザーにウェッブサイトにログインさせることは、当業者であれば容易に想到し得たことである。
　
（ｉｉ）相違点（Ｂ）、及び（Ｄ）について
　一般に、計算機に対する所定の操作の手順をファイルとして記録し、記録された複数のファイルに対するショートカットをタスクバー等で一覧表示できるように記録し、一覧表示された複数のショートカットからの選択によって所定のファイルを指定し、そのファイルに記録された手順に従って計算機に所定の操作を行わせ、これによって計算機に対する操作を自動化し簡易にすることは、野田他，「デスクトップを操縦する」，ここがポイントＷｉｎｄｏｗｓ９８（エーアイムック２０８），エーアイ出版株式会社，１９９８年９月３０日，第５頁乃至第２８頁に開示されているごとく、周知技術である。さらに、記録されたログイン操作を含む操作の手順を実行することが周知技術であることは上記（ｉ）においても示したとおりである。さらに、ウェッブブラウザ等のアプリケーションの起動実行をも記録された操作の手順に従って実行することも、油谷，「スタート！スクリプティング　最終回」，日経Ｗｉｎｄｏｗｓ　２０００，第３９号，日経ＢＰ社，２０００年６月１日，第１９９頁乃至第２０６頁に開示されているごとく、周知技術である。
　そして、引用発明ではユーザーがウェッブブラウザの機能を用いてウェッブサイトに次回アクセスしたときの操作を簡易化しようとしているのであるから、引用発明は、そうしたアクセスの際のユーザーによる操作とホストシステムによる処理の流れ、すなわち、複数のウェッブサイトの中から一つを特定し、アクセスし、そのサイトに対応するログイン・データを用いてログイン操作を行うという一連の流れ、を踏まえたものである。つまり、引用発明は、そうした一連の流れをなす操作の一部を計算機を用いて自動化し、ログイン操作の簡易化を図ったものである。一連の流れをなす一部の操作の自動化にとどまらず流れ全体についてのさらなる操作の簡易化を図ることは、計算機分野では操作の簡易化が通常求められることに照らせば、引用例に接した当業者が当然に考慮すべき課題である。
　してみると、引用発明において、ウェッブサイトに次回アクセスしログインする際の一連の流れをなす操作全体を簡易化するために上記周知技術を採用し、第１の工程ではログイン・データを記録するにあたってログイン・データの入力操作やログイン操作を含めた複数の記録ファイルとそれら記録ファイルの一覧表である記録ファイル一覧表を作成し、第２の工程では、ウェッブブラウザの起動、選択された記録ファイルに対応するウェッブサイトへのアクセスと接続、ログイン操作の実行というそれぞれの処理を行ってユーザーにそのウェッブサイトにログインさせるにあたって、そうして作成された記録ファイル一覧表からの記録ファイルの選択による一連の処理として行うように構成することは、当業者であれば容易に想到し得たことである。
　
（ｉｉｉ）相違点（Ｅ）について
　一般に、記録されたデータやファイルを保護するために、記録されたデータやファイルそれ自体にパスワードを設定することは、特開平１−２７６３５２号公報や特開昭６３−２０６４２号公報に開示されているように周知であり、また、保護すべきファイルの作成時にパスワード設定することも、前記特開平１−２７６３５２号に開示されているように周知である。
　そして、上記（２）（Ｂ）で示したように、引用例ではサインインパスワードの入力を含むサインインによってパスワードの持ち主以外の者のアクセスを制限しており、引用発明の記録されたパスワード情報が保護を要するデータであることが示唆されている。
　してみると、引用発明において、記録されたパスワード情報を保護するためにこれらの周知技術を採用し、パスワード情報を記録する第１の工程において「記録ファイルについてパスワードを設定する工程を含む」ように構成することは、当業者であれば容易に想到し得たことである。
　
　以上のとおり、相違点（Ａ）乃至（Ｅ）はいずれも格別のものでなく、また、これらの相違点を総合的に検討しても奏される効果は当業者が当然に予測できる範囲内のものである。
　
（５）むすび
　したがって、本件補正発明は、引用例記載の発明及び周知技術に基づいて当業者が容易に発明をすることができたものであるから、特許法第２９条第２項の規定により特許出願の際独立して特許を受けることができないものであるので、本件補正は、特許法第１７条の２第５項で準用する同法第１２６条第５項の規定に違反するものであり、特許法第１５９条第１項の規定において読み替えて準用する特許法第５３条第１項の規定により却下されるべきものである。
　
３．本願発明について
（１）本願発明の認定
　平成１８年１２月２６日付の手続補正は上記２．のとおり却下されたので、本件審判請求に係る特許出願の請求項１に係る発明（以下「本願発明」という。）は、平成１８年６月２２日付の手続補正による補正後の請求項１に記載された事項による特定される以下のとおりのものである。
「【請求項１】
　ホストシステムが、当該ホストシステムに表示されている、登録しようとするウェッブサイトのウェッブページに対して、当該ウェッブサイトにログインするためのログイン操作、及び前記ログイン操作により当該ウェッブページにおける入力欄に入力されたログイン・データを記録データとして記録し、前記登録しようとするウェッブサイトに対応する記録ファイルを作成し、記憶装置に記憶する第１の工程と、
　前記ホストシステムが、記憶された複数のウェッブサイトにそれぞれ対応する複数の記録ファイルのうち、ユーザーにより選択された記録ファイルにおける記録データに従って、当該ユーザーに、当該選択された記録ファイルに対応するウェッブサイトにログインさせる第２の工程と
　を有し、
　前記第２の工程において、
　前記ホストシステムは、前記選択された記録ファイルにおける記録データに従って、ウェッブブラウザーを起動し、前記対応ウェッブサイトにアクセスして接続し、
　前記ホストシステムは、前記選択された記録ファイルに記録されたログイン・データを前記対応ウェッブサイトのウェッブページにおける入力欄に入力し、前記選択された記録ファイルに記録されたログイン操作を実行し、前記ユーザーに、前記対応ウェッブサイトにログインさせる
　ことを特徴とするウェッブサイト管理方法。」
　
（２）引用発明
　原査定の拒絶の理由に引用された引用例、及び引用例に記載された発明（上記「引用発明」）は、上記「２．（２）」に記載したとおりである。
　
（３）本願発明と引用発明との対比・判断
　本願発明は、前記２．で検討した本件補正発明から、「第１の工程」の限定事項である「前記第１の工程において、前記ホストシステムは、前記複数の記録ファイルの一覧表である記録ファイル一覧表を作成し」及び「前記第１の工程は、さらに、前記記録ファイルについてパスワードを設定する工程を含む」の構成を省き、「第２の工程」の限定事項である「前記第２の工程において、前記ホストシステムは、前記ユーザーにより前記記録ファイルに一覧表から選択された記録ファイルにおける記録データに従って、前記ユーザーに前記対応ウェッブサイトにログインさせ、前記第２の工程において、前記ホストシステムは、前記選択された記録ファイルにおける記録データを取り出して、前記記録データにおけるログイン・データを用いて、前記記録データに含まれた、前記対応ウェッブサイトのウェッブページに対するログイン操作を実行し、前記ユーザーに前記対応ウェッブサイトにログインさせ、」の構成を省いたものである。
　そうすると、本願発明の発明特定事項を全て含み、さらに他の発明特定事項を付加したものに相当する本件補正発明が、上記「２．（３）」及び上記「２．（４）」において示したとおり引用例記載の発明及び周知技術に基づいて当業者が容易に発明をすることができたものであるから、本願発明も、同様の理由により、引用例記載の発明及び周知技術に基づいて当業者が容易に発明をすることができたものである。
　
（４）むすび
　以上のとおり、本願発明は、引用例記載の発明及び周知技術に基づいて当業者が容易に発明をすることができたものであるから、特許法第２９条第２項の規定により特許を受けることができない。
　よって、結論のとおり審決する。